(57)【要約】【課題】ユーザの設定ミスを低減することが可能な画像処理システム及び設定プログラムを提供する。【解決手段】メイン設定画面Ｐ１上の選択設定項目（両面印刷指定部５８）で選択が変更されたときに、その選択設定項目と関連づけられた関連設定項目を有するサブ設定画面が新規に表示される。これにより、ユーザが選択を変更した項目に関連する設定項目の内容を確認し易くなるため、ユーザの設定ミスを低減することができる。【選択図】図３
2010009297.tif 000002
【特許請求の範囲】
【請求項１】
設定された処理条件に従って画像処理を行う画像処理手段と、
表示手段と、
ユーザによる指示が入力される操作手段と、
前記処理条件に含まれる設定項目を設定するための設定画面を前記表示手段に表示させ、前記操作手段からの入力に従って前記設定画面の表示内容を制御し前記設定項目の設定を行う制御手段と、
を備え、
前記制御手段は、複数の選択肢のうちから一部の値を選択可能な選択設定項目を有する第１設定画面を表示させ、前記第１設定画面上で前記操作手段により前記選択設定項目における選択値を変更する操作が行われたときに、前記選択設定項目と関連付けられた関連設定項目を有する第２設定画面を新規に表示させる画像処理システム。
【請求項２】
請求項１に記載の画像処理システムにおいて、
前記制御手段は、前記第１設定画面上で前記選択設定項目における選択値を変更する操作が行われたときに、変更後の選択値が規定値である場合に、その規定値と関連付けられた関連設定項目を有する前記第２設定画面を表示させる。
【請求項３】
請求項１または請求項２に記載の画像処理システムにおいて、
前記制御手段は、前記第２設定画面表示時には、前記第１設定画面を前記操作手段からの操作を受け付けない非アクティブ状態で表示させる。
【請求項４】
請求項１から請求項３のいずれかに記載の画像処理システムにおいて、
前記第１設定画面は、前記操作手段からの指示に従って切り替えて表示可能な複数のタブ画面を有しており、前記選択設定項目と前記関連設定項目とが互いに異なるタブ画面上に表示される。
【請求項５】
請求項４に記載の画像処理システムにおいて、
前記制御手段は、前記第２設定画面上において前記関連設定項目の値が設定された場合に、対応する前記第１設定画面上における関連設定項目の値を同じ値に変更して表示する。
【請求項６】
請求項１から請求項５のいずれか一項に記載の画像処理システムにおいて、
前記第２設定画面は、複数の関連設定項目が順次表示される問答形式で表示される。
【請求項７】
請求項１から請求項６のいずれか一項に記載の画像処理システムにおいて、
前記制御手段は、前記選択設定項目の選択値を変更する操作が行われたときに、前記第２設定画面を表示させるか否かの動作を切り替え可能である。
【請求項８】
画像処理を行う画像処理手段に接続されたコンピュータ上で実行され、前記画像処理の処理条件に含まれる設定項目を設定するための設定画面を表示させ、ユーザからの操作に従って前記設定画面の表示内容を制御し前記設定項目の設定を行うための設定プログラムであって、
複数の選択肢のうちから一部の値を選択可能な選択設定項目を有する第１設定画面を表示させ、前記第１設定画面上で前記選択設定項目における選択値を変更する操作が行われたときに、前記選択設定項目と関連付けられた関連設定項目を有する第２設定画面を新規に表示させる設定プログラム。
【発明の詳細な説明】
【技術分野】
【０００１】
本発明は、画像処理システム及び設定プログラムに関する。
【背景技術】
【０００２】
プリンタや複写機などの画像形成装置では、ユーザが印刷条件を設定することにより様々な印刷を実行することができる。印刷条件の設定の際には、例えば、画像形成装置に接続されたコンピュータのディスプレイや、あるいは画像形成装置自体が備えるディスプレイに設定画面が表示される（例えば特許文献１参照）。こうした設定画面において設定可能な項目の数が多い場合には、設定画面上に複数のタブを設けるなどにより、表示される設定項目を切り替えることができるようにすることがある。
【０００３】
また、類似の技術として、原稿画像を読み取る原稿読取装置において、読み取り動作を実行する際に、ユーザが原稿読取装置に接続されたコンピュータのディスプレイ等に表示された設定画面を見ながら各種の読取条件を設定できるようにしたものが知られている。
【特許文献１】特開平１０−２２２３２８号公報
【発明の開示】
【発明が解決しようとする課題】
【０００４】
しかしながら、装置の多機能化などにより設定画面が複雑化すると、ユーザが設定すべき項目を把握し難くなるという問題がある。例えば、設定画面上において、一つの設定項目の値（例えば両面印刷の実行等）を設定したときには、それに関連する設定項目（綴じ方の指定等）の設定の確認も必要となる場合があるが、ユーザがそうした関連設定項目の設定状態を確認し忘れると、その結果意図しない処理が行われてしまうおそれがあった。
【０００５】
本発明は上記のような事情に基づいて完成されたものであって、ユーザの設定ミスを低減することが可能な画像処理システム及び設定プログラムを提供することを目的とする。
【課題を解決するための手段】
【０００６】
上記の目的を達成するための手段として、第１の発明に係る画像処理システムは、設定された処理条件に従って画像処理を行う画像処理手段と、表示手段と、ユーザによる指示が入力される操作手段と、前記処理条件に含まれる設定項目を設定するための設定画面を前記表示手段に表示させ、前記操作手段からの入力に従って前記設定画面の表示内容を制御し前記設定項目の設定を行う制御手段と、を備え、前記制御手段は、複数の選択肢のうちから一部の値を選択可能な選択設定項目を有する第１設定画面を表示させ、前記第１設定画面上で前記操作手段により前記選択設定項目における選択値を変更する操作が行われたときに、前記選択設定項目と関連付けられた関連設定項目を有する第２設定画面を新規に表示させる。
【０００７】
第１の発明によれば、第１設定画面上の選択設定項目で選択が変更されたときに、その選択設定項目と関連づけられた関連設定項目を有する第２設定画面が新規に表示される。これにより、ユーザが選択を変更した項目に関連する設定項目の内容を確認し易くなるため、ユーザの設定ミスを低減することができる。
【０００８】
第２の発明は、第１の発明において、前記制御手段は、前記第１設定画面上で前記選択設定項目における選択値を変更する操作が行われたときに、変更後の選択値が規定値である場合に、その規定値と関連付けられた関連設定項目を有する前記第２設定画面を表示させる。
【０００９】
第２の発明によれば、選択設定項目で選択された値が規定値である場合にその規定値と関連付けされたサブ設定画面を表示させるため、特定の選択値に関連する関連設定項目だけをサブ設定画面で表示させ、選択値に無関係な項目を表示させないようにすることができる。
【００１０】
第３の発明は、第１または第２の発明において、前記制御手段は、前記第２設定画面表示時には、前記第１設定画面を前記操作手段からの操作を受け付けない非アクティブ状態で表示させる。
第３の発明によれば、第２設定画面の表示時には第１設定画面が非アクティブ状態となるため、いずれの設定画面に対して操作を行うべきかについてユーザが迷わずに済む。
【００１１】
第４の発明は、第１から第３のいずれか一つの発明において、前記第１設定画面は、前記操作手段からの指示に従って切り替えて表示可能な複数のタブ画面を有しており、前記選択設定項目と前記関連設定項目とが互いに異なるタブ画面上に表示される。
【００１２】
第４の発明によれば、第１設定画面において一つの選択設定項目とそれに関連する設定項目とが別々のタブ上で表示されると、ユーザが両項目の関連を把握し難い場合がある。これに対し、本構成では、第１設定画面の選択設定項目が操作されたときにその関連設定項目を第２設定画面で表示することにより、ユーザが両項目の関連性を容易に把握することができる。これにより、ユーザの設定ミスを低減することができる。
【００１３】
第５の発明は、第４の発明において、前記制御手段は、前記第２設定画面上において前記関連設定項目の値が設定された場合に、対応する前記第１設定画面上における関連設定項目の値を同じ値に変更して表示する。
第５の発明によれば、第２設定画面上で設定された値と第１設定画面上で表示される値とが一致するため、両者の値が不一致となることにより問題が生じることを防止できる。
【００１４】
第６の発明は、第１から第５のいずれか一つの発明において、前記第２設定画面は、複数の関連設定項目が順次表示される問答形式で表示される。
第６の発明によれば、第２設定画面では、複数の関連設定項目が問答形式で順次表示されるため、不慣れなユーザであっても、容易に設定を行うことができる。
【００１５】
第７の発明は、第１から第６のいずれか一つの発明において、前記制御手段は、前記選択設定項目の選択値を変更する操作が行われたときに、前記第２設定画面を表示させるか否かの動作を切り替え可能である。
【００１６】
第７の発明によれば、選択設定項目の選択値を変更する操作が行われたときに、第２設定画面を表示する否かを切り替えることができるため、例えばユーザの要求などに応じて切り替えることで、ユーザの利便を図ることができる。
【００１７】
第８の発明に係る設定プログラムは、画像処理を行う画像処理手段に接続されたコンピュータ上で実行され、前記画像処理の処理条件に含まれる設定項目を設定するための設定画面を表示させ、ユーザからの操作に従って前記設定画面の表示内容を制御し前記設定項目の設定を行うための設定プログラムであって、複数の選択肢のうちから一部の値を選択可能な選択設定項目を有する第１設定画面を表示させ、前記第１設定画面上で前記選択設定項目における選択値を変更する操作が行われたときに、前記選択設定項目と関連付けられた関連設定項目を有する第２設定画面を新規に表示させる。
【００１８】
第８の発明によれば、第１設定画面上の選択設定項目で選択が変更されたときに、その選択設定項目と関連づけられた関連設定項目を有する第２設定画面が新規に表示される。これにより、ユーザが選択を変更した項目に関連する設定項目の内容を確認し易くなるため、設定ミスの発生を低減することができる。
【発明の効果】
【００１９】
本発明によれば、第１設定画面上の選択設定項目で選択が変更されたときに、その選択設定項目と関連づけられた関連設定項目を有する第２設定画面が新規に表示される。これにより、ユーザが選択を変更した項目に関連する設定項目の内容を確認し易くなるため、ユーザの設定ミスを低減することができる。
【発明を実施するための最良の形態】
【００２０】
＜実施形態１＞
次に本発明の実施形態１について図１から図８を参照して説明する。
【００２１】
（印刷システムの電気的構成）
図１は、コンピュータ１０と、プリンタ３０（画像処理手段の一例）とを備えた印刷システム（画像処理システムの一例）の電気的構成を示すブロック図である。
【００２２】
コンピュータ１０は、ＣＰＵ１１（制御手段の一例）、ＲＯＭ１２、ＲＡＭ１３、ハードディスクドライブ１４、キーボードやポインティングデバイス等を有する操作部１５（操作手段の一例）、液晶ディスプレイ等を有する表示部１６（表示手段の一例）、通信回線２０に接続されるネットワークインターフェイス１７等を備えている。ハードディスクドライブ１４には、ＯＳや、印刷用のデータを作成する可能なアプリケーションソフト、プリンタ３０を制御するためのプリンタドライバ（設定プログラムの一例）などの各種プログラムが記憶されている。
【００２３】
プリンタ３０は、ＣＰＵ３１、ＲＯＭ３２、ＲＡＭ３３、ＮＶＲＡＭ（不揮発性メモリ）３４、操作部３５、表示部３６、印刷部３７、ネットワークインターフェイス３８等を備えている。ＲＯＭ３２には、プリンタ３０の動作を制御するための各種プログラムが記録されており、ＣＰＵ３１は、ＲＯＭ３２から読み出したプログラムに従って、その処理結果をＲＡＭ３３やＮＶＲＡＭ３４に記憶させながら、プリンタ３０の動作を制御する。
【００２４】
操作部３５は、複数のボタンを備え、ユーザによって印刷開始の指示などの各種の入力操作が可能である。表示部３６は、液晶ディスプレイやランプ等を備えており、各種の設定画面や動作状態等を表示することが可能である。印刷部３７は、用紙等の被記録媒体の表裏両面に印刷を行う機能を備えている。ネットワークインターフェイス３８は、通信回線２０を介して外部のコンピュータ１０等に接続されており、相互のデータ通信が可能となっている。
【００２５】
（印刷設定処理）
次にコンピュータ１０の制御によりプリンタ３０で印刷を行う前に実行される印刷設定処理の動作について説明する。図２は、印刷設定処理の流れを示すフローチャートである。また、図３及び図４は、メイン設定画面Ｐ１を示す図であり、図５から図８はそれぞれサブ設定画面Ｐ２０〜Ｐ２３を示す図である。
【００２６】
ユーザが文書や画像などを扱うアプリケーションソフト上で、操作部１５により印刷の指示を入力すると、ＣＰＵ１１は、表示部１６に印刷指示画面（図示せず）を表示させる。この印刷指示画面では、印刷に使用するプリンタの指定や、印刷設定の指示、印刷開始の指示等を行うことができる。ユーザが操作部１５により印刷設定の指示を入力すると、ＣＰＵ１１は、指定されたプリンタに対応するプリンタドライバを起動し、そのプリンタドライバに応じた印刷設定処理を行う。本発明のプリンタドライバを起動した場合には、ＣＰＵ１１は、図２に示す印刷設定処理を行う。
【００２７】
ＣＰＵ１１は、印刷設定処理を開始すると、まず表示部１６に図３に示すメイン設定画面Ｐ１（第１設定画面の一例）を表示する（Ｓ１０１）。このメイン設定画面Ｐ１には、第１タブ画面５１（図３参照）と第２タブ画面５２（図４参照）とのいずれかが表示され、ユーザは操作部１５からの指示により表示させるタブ画面５１，５２を切り替えることができる。また、メイン設定画面Ｐ１は、設定内容を確定するためのＯＫボタン５３等を備えている。
【００２８】
第１タブ画面５１は、サブ画面設定部５５、用紙サイズ指定部５６、カラー指定部５７、両面印刷指定部５８を備えている。サブ画面設定部５５では、後述するサブ設定画面Ｐ２０〜Ｐ２３を有効にするか無効にするかを選択することができ、さらに有効にした場合に標準形式で表示するか、あるいはナビゲーション形式で表示するかを選択することができる。
【００２９】
また、用紙サイズ指定部５６、カラー指定部５７、両面印刷指定部５８は、それぞれ印刷条件に含まれる各種の設定項目の値を指定するための領域である。各指定部５６〜５８では、それぞれユーザが操作部１５を用いて複数の選択肢をリスト表示させ、それらのうちの一つを選択することができる。例えば、両面印刷指定部５８（選択設定項目の一例）では、「なし（片面印刷）」と「両面印刷」との２つの選択肢がある。
【００３０】
第２タブ画面５２は、第１タブ画面５１よりも詳細な設定項目について設定を行うための画面である。第２タブ画面５２は、図４に示すように複数のメニューボタン６０Ａ，６０Ｂ，６０Ｃ，６０Ｄを備えており、ユーザがこれらのメニューボタン６０Ａ〜６０Ｄのいずれかをクリックすることにより、第２タブ画面５２上に表示される設定項目を切り替えることができる。例えば、両面印刷に関連する設定を行うためのメニューボタン６０Ｂがクリックされた状態では、印刷方法指定部６１、綴じ方指定部６２、綴じしろ指定部６３が表示される。なお、これらの指定部６１〜６３は、いずれも既述の両面印刷指定部５８で設定される設定項目に関連づけられた関連設定項目を指定するためのものである。
【００３１】
印刷方法指定部６１は、両面印刷を行う際の方法として、「両面印刷ユニットを使う」、「手動両面印刷」のいずれか一方を選択することができる。綴じ方指定部６２では、用紙の綴じ方、即ち、各ページの印刷向きを指定することができる。綴じしろ指定部６３では、綴じしろの幅寸法を指定することができる。
【００３２】
さて、ＣＰＵ１１は、図２のＳ１０１にて上記メイン設定画面Ｐ１を表示した後、いずれかの設定項目の値が変更されたかを調べる（Ｓ１０２）。設定項目の値が変更されていない場合（Ｓ１０２：Ｎｏ）には、ＯＫボタンがクリックされたかを調べ（Ｓ１０３）、クリックされていない場合には、Ｓ１０２に戻って同様の処理を繰り返す。設定項目の値が変更された場合（Ｓ１０２：Ｙｅｓ）には、変更された設定項目に関連づけられた関連設定項目が存在するかを判断する（Ｓ１０４）。関連設定項目が存在しない場合（Ｓ１０４：Ｎｏ）には、Ｓ１０３に進む。
【００３３】
関連設定項目が存在する場合（Ｓ１０４：Ｙｅｓ）には、変更された設定項目の値が規定値であるかを判断し（Ｓ１０５）、規定値でない場合（Ｓ１０５：Ｎｏ）には、Ｓ１０３に進む。ここで、規定値とは、サブ設定画面を表示させるための条件となる値である。例えば、両面印刷指定部５８においては、「両面印刷」が規定値であって関連づけされた関連設定項目が存在し、「なし（片面印刷）」は規定値ではなく関連付けされた関連設定項目が存在しない。
【００３４】
続いてＣＰＵ１１は、サブ画面設定部５５において、サブ設定画面が有効に設定されているかを調べ（Ｓ１０６）、サブ設定画面が無効の場合（Ｓ１０６：Ｎｏ）には、Ｓ１０３に進む。また、サブ設定画面が有効の場合（Ｓ１０６：Ｙｅｓ）には、関連設定項目をを含んだサブ設定画面（第２設定画面の一例）を表示部１６に新規に表示する（Ｓ１０７）。
【００３５】
例えば、メイン設定画面Ｐ１の両面印刷指定部５８において、ユーザが操作部１５によりその値を「なし」から「両面印刷」に変更した場合には、両面印刷に関連する設定項目である印刷方法指定部６１、綴じ方指定部６２、綴じしろ指定部６３で指定されている値が取り込まれ、それらの関連設定項目を含んだサブ設定画面が表示される。ここで、サブ設定画面は、図５に示す標準形式の画面Ｐ２０と図６〜図８に示すナビゲーション形式の画面Ｐ２１〜Ｐ２３との２形式があり、これら２形式のサブ設定画面Ｐ２０，Ｐ２１〜Ｐ２３のうちサブ画面設定部５５にて設定された形式のものが表示される。
【００３６】
標準形式のサブ設定画面Ｐ２０は、図５に示すように、印刷方法指定部６５、綴じ方指定部６６、綴じしろ指定部６７を一画面上に備えている。各指定部６５〜６７には、メイン設定画面Ｐ１の対応する指定部６１〜６３にて指定された値と同じ値が初期値として表示される。サブ設定画面Ｐ２０では、メイン設定画面Ｐ１と同様に、ユーザが各指定部６５〜６７の値を任意に変更することができ、ＯＫボタン６８をクリックすることにより、指定された値を確定することができる。なお、ＣＰＵ１１は、このサブ設定画面Ｐ２０の表示時には、メイン設定画面Ｐ１を操作部１５からの直接の操作（画面上のクリック操作等）を受け付けない非アクティブ状態とする。
【００３７】
また、ナビゲーション形式のサブ設定画面Ｐ２１〜Ｐ２３は、図６から図８に示すように、３つの一連の画面から構成されており、各画面には関連設定項目を設定するための指定部７０〜７２（印刷方法指定部７０、綴じ方指定部７１、綴じしろ指定部７２）が一つずつ設けられている。このナビゲーション形式のサブ設定画面Ｐ２１〜Ｐ２３は、比較的不慣れなユーザ向けの設定画面であって、項目の設定を一つ一つ問答形式で進めることができるようになっている。
【００３８】
ユーザは、サブ設定画面Ｐ２１，Ｐ２２に設けられた次ページボタン７３，７４をクリックすることにより、順に次のサブ設定画面Ｐ２２，Ｐ２３を表示させることができる。また、ユーザは、サブ設定画面Ｐ２２，Ｐ２３に設けられた前ページボタン７５，７６をクリックすることにより、一つ前のサブ設定画面Ｐ２１，Ｐ２２を表示させることができる。また、各サブ設定画面Ｐ２１〜Ｐ２３には、それぞれ設定内容を説明する文章や図などのガイド表示７７，７８，７９が表示される。
【００３９】
上記各指定部７０〜７２には、標準形式のサブ設定画面Ｐ２０と同様に、メイン設定画面Ｐ１の対応する指定部６１〜６３にて指定された値と同じ値が初期値として表示される。また、ユーザが最後のサブ設定画面Ｐ２３に設けられたＯＫボタン８０をクリックすることにより、各指定部７０〜７２にて指定された値が確定される。また、ＣＰＵ１１は、これらのサブ設定画面Ｐ２１〜Ｐ２３の表示時にも、メイン設定画面Ｐ１を操作部１５からの直接の操作を受け付けない非アクティブ状態とする。
【００４０】
さて、ＣＰＵ１１は、サブ設定画面Ｐ２０，Ｐ２３でＯＫボタン６８，８０がクリックされた場合（Ｓ１０８：Ｙｅｓ）には、そのサブ設定画面Ｐ２０，Ｐ２３を閉じ、メイン設定画面Ｐ１をアクティブ状態とする。このとき、サブ設定画面Ｐ２０〜Ｐ２３で設定値の変更が行われた場合（Ｓ１０９：Ｙｅｓ）には、メイン設定画面Ｐ１上において対応する設定項目の値をサブ設定画面Ｐ２０〜Ｐ２３にて変更された値と同じ値とする（Ｓ１１０）。
【００４１】
メイン設定画面Ｐ１にてＯＫボタン５３がクリックされる（Ｓ１０３：Ｙｅｓ）と、ＣＰＵ１１は、メイン設定画面Ｐ１に含まれる全ての設定項目の値をＲＡＭ１３に記憶し（Ｓ１１１）、メイン設定画面Ｐ１を閉じて、この印刷設定処理を終了する。その後、既述の印刷指示画面にて、ユーザが印刷開始を指示すると、ＣＰＵ１１は、プリンタドライバにより、上記印刷設定処理により設定された各種の印刷条件に基づいて印刷データを生成し、その印刷データをネットワークインターフェイス１７を介してプリンタ３０へ送信する。ここで生成される印刷データは、印刷対象のページデータを例えばＰＤＬ（プリンタ記述言語）形式に変換したものであり、画像データの他に印刷条件の設定情報等を含んでいる。
【００４２】
一方、プリンタ３０では、コンピュータ１０から送信された印刷データをネットワークインターフェイス３８を介して受信すると、ＣＰＵ３１の制御により印刷データをビットマップ展開して印刷部３７に送り印刷を実行する。このとき、印刷データに含まれる印刷条件の設定情報に従って印刷動作が行われる。
【００４３】
（本実施形態の効果）
以上のように本実施形態によれば、メイン設定画面Ｐ１上の選択設定項目（両面印刷指定部５８）で選択が変更されたときに、その選択設定項目と関連づけられた関連設定項目を有するサブ設定画面Ｐ２０〜Ｐ２３が新規に表示される。これにより、ユーザが選択を変更した項目に関連する設定項目の内容を確認し易くなるため、ユーザの設定ミスを低減することができる。
【００４４】
また、選択設定項目（両面印刷指定部５８）で選択された値が規定値（両面印刷）である場合にその規定値と関連付けされたサブ設定画面Ｐ２０〜Ｐ２３を表示させるため、特定の選択値に関連する関連設定項目だけをサブ設定画面で表示させ、選択値に無関係な項目を表示させないようにすることができる。
【００４５】
また、サブ設定画面Ｐ２０〜Ｐ２３の表示時にはメイン設定画面Ｐ１が非アクティブ状態となるため、いずれの設定画面に対して操作を行うべきかについてユーザが迷わずに済む。
【００４６】
また、メイン設定画面において一つの選択設定項目とそれに関連する設定項目とが別々のタブ上で表示されると、ユーザが両項目の関連を把握し難い場合がある。これに対し、本構成では、メイン設定画面Ｐ１の選択設定項目（両面印刷指定部５８）が操作されたときにその関連設定項目（指定部６５〜６７，７０〜７２）をサブ設定画面Ｐ２０〜Ｐ２３で表示することにより、ユーザが両項目の関連性を容易に把握することができる。これにより、ユーザの設定ミスを低減することができる。
【００４７】
また、サブ設定画面Ｐ２０〜Ｐ２３上で設定された値と、その後にメイン設定画面Ｐ１上で表示される値とが一致するため、両者の値が不一致となることにより問題が生じることを防止できる。
【００４８】
また、サブ設定画面Ｐ２１〜Ｐ２３では、複数の関連設定項目が問答形式で順次表示されるため、不慣れなユーザであっても、容易に設定を行うことができる。
【００４９】
また、選択設定項目（両面印刷指定部５８）の選択値を変更する操作が行われたときに、サブ設定画面Ｐ２０〜Ｐ２３を表示する否かを切り替えることができるため、例えばユーザの要求などに応じて切り替えることで、ユーザの利便を図ることができる。
【００５０】
＜他の実施形態＞
本発明は上記記述及び図面によって説明した実施形態に限定されるものではなく、例えば次のような実施形態も本発明の技術的範囲に含まれる。
（１）上記実施形態で示した設定項目や、設定画面の構成等はいずれも一例であって、適宜変更することが可能である。
【００５１】
（２）上記実施形態では、本発明をコンピュータとプリンタとを備えた印刷システムに適用した例を示したが、本発明は、例えば図９に示すように、コンピュータ１０と、原稿を読み取る読取部７１を有する複合機７０とからなる読取システム（画像処理システムの一例）などにも適用することができる。
【００５２】
この場合、ユーザが複合機７０の読取部７１に原稿をセットし、コンピュータ１０の操作部１５より読み取りの指示を入力することにより、ＣＰＵ１１がスキャナドライバを起動させ、図１０に示すような読取設定処理を開始する。この読取設定処理の大部分は図２の印刷設定処理と同様であるので説明を省略する。メイン設定画面、サブ設定画面（図示せず）では、例えば、原稿サイズ、カラー、画質、明るさなど、各種の読取条件を設定するための設定項目を表示させることができる。メイン設定画面にてＯＫボタンがクリックされた場合（Ｓ１０３：Ｙｅｓ）には、ＣＰＵ１１は、設定された値を含んだ読取指令を生成し、その読取指令を複合機７０に送信する（Ｓ２１１）。
【００５３】
（３）上記実施形態では、ネットワークを介して印刷、読取を行うシステムを示したが、本発明は、単体の印刷装置若しくは単体の読取装置にも適用することができる。即ち、例えば図９に示す複合機７０（印刷装置）において、読取部７１で原稿を読み取ったデータを印刷する場合やＵＳＢメモリ等の外部記憶媒体から読み込んだデータを印刷する場合等に、ＣＰＵ３１の制御により、表示部３６上に設定画面を表示してユーザに操作部３５により印刷条件を設定させる場合にも本発明を適用することができる。同様に、図９の複合機７０（読取装置）において読み取りを実行する際に、ＣＰＵ３１の制御により、表示部３６上に設定画面を表示してユーザに操作部３５により読取条件を設定させる場合にも本発明を適用することができる。
【００５４】
（４）上記実施形態では、選択設定項目（両面印刷指定部５８）において規定値（両面印刷）が選択された場合にのみサブ設定画面を表示させたが、本発明によれば、選択値が変更された際に、選択された値が規定値であるか否かに拘わらずサブ設定画面を表示させるようにしても良い。また、選択設定項目において選択された値に応じてサブ設定画面で表示する関連設定項目を変更しても良い。
【図面の簡単な説明】
【００５５】
【図１】印刷システムの電気的構成を示すブロック図
【図２】印刷設定処理の流れを示すフローチャート
【図３】メイン設定画面を示す図
【図４】メイン設定画面を示す図
【図５】標準形式のサブ設定画面を示す図
【図６】ナビゲーション形式のサブ設定画面を示す図
【図７】ナビゲーション形式のサブ設定画面を示す図
【図８】ナビゲーション形式のサブ設定画面を示す図
【図９】読取システムの電気的構成を示すブロック図
【図１０】読取設定処理の流れを示すフローチャート
【符号の説明】
【００５６】
１１…ＣＰＵ（制御手段の一例）
１５…操作部（操作手段の一例）
１６…表示部（表示手段の一例）
３０…プリンタ（画像処理手段の一例）
３１…ＣＰＵ（制御手段の一例）
３５…操作部（操作手段の一例）
３６…表示部（表示手段の一例）
３７…印刷部（画像処理手段の一例）
７０…複合機（画像処理手段の一例）
７１…読取部（画像処理手段の一例）
【図１】
2010009297.tif 000003
【図２】
2010009297.tif 000004
【図３】
2010009297.tif 000005
【図４】
2010009297.tif 000006
【図５】
2010009297.tif 000007
【図６】
2010009297.tif 000008
【図７】
2010009297.tif 000009
【図８】
2010009297.tif 000010
【図９】
2010009297.tif 000011
【図１０】
2010009297.tif 000012